(57)【要約】  本発明は、センタサーバ（300）と、エレベータ（100）、エスカレータまたは動く歩道に通信可能に接続された制御装置（120）との間におけるデータ接続の開始方法に関する。本方法は、センタサーバ（300）からトリガ信号（410）を受信し、トリガ信号は制御装置（120）と通信可能に接続されている移動体通信ネットワークサービスを用いて伝送され、トリガ信号が少なくとも一つの所定の要求に応じるか否かの検出（420）をし、肯定的検出結果を受けて制御装置（120）からセンタサーバ（300）へのデータ接続確立（430）を開始する。本発明はまた、エレベータ、エスカレータまたは動く歩道の制御装置にも関する。【選択図】図４
2019536711.tif 000002
【特許請求の範囲】
【請求項１】
センタサーバ（300）とエレベータ（100）、エスカレータまたは動く歩道に通信可能に接続された制御装置（120）との間におけるデータ接続の開始方法であって、
前記制御装置（120）では、前記センタサーバ（300）からトリガ信号（410）を受信し、該トリガ信号は、前記制御装置（120）が通信可能に接続されている移動体通信ネットワークのサービスを用いて伝送され、
前記トリガ信号が少なくとも一つの所定の要求に応じるか否かの検出（420）をして、
該検出の肯定的結果を受けて、前記制御装置（120）から前記センタサーバ（300）へのデータ接続確立（430）を開始することを特徴とする開始方法。
【請求項２】
請求項１に記載の方法において、前記トリガ信号に使用される前記移動体通信ネットワークのサービスは、メッセージングサービスおよび音声呼設定のうちいずれかであることを特徴とする方法。
【請求項３】
前記請求項のいずれかに記載の方法において、前記検出は、前記トリガ信号から導出された前記センタサーバ（300）のネットワーク識別子を前記制御装置（120）との協働が許される少なくとも一つのセンタサーバ（300）を識別する格納情報と比較すること、または、前記トリガ信号のペイロードが所定の基準に従うことのうち少なくともいずれかであることを特徴とする方法。
【請求項４】
前記請求項のいずれかに記載の方法において、前記データ接続確立の開始には、前記制御装置（120）と移動体通信ネットワーク内に属するネットワークノードとの間のPDPコンテキストの構築が含まれることを特徴とする方法。
【請求項５】
前記請求項のいずれかに記載の方法において、前記制御装置（120）は、前記検出の肯定的結果を受けて、前記制御装置にアクセス可能な記憶部から前記センタサーバ（300）のアドレスを取得するように構成されていることを特徴とする方法。
【請求項６】
エレベータ（100）、エスカレータまたは動く歩道の制御装置（120）であって、該制御装置（120）は、
少なくとも一つの処理部（510）と、
コンピュータプログラムコードを含む少なくとも一つの記憶部（520）とを有し、
該少なくとも一つの記憶部（520）および前記コンピュータプログラムコードは、少なくとも一つの処理部（510）を用いて、該制御装置（120）に、
該制御装置（120）と通信可能に接続されている移動体通信ネットワークのサービスを用いて伝送されるトリガ信号（410）のセンタサーバ（300）からの受信と、
前記トリガ信号が少なくとも一つの所定の要求に応じるか否かの検出（420）と、
該検出の肯定的な結果を受けて、該制御装置（120）から前記センタサーバ（300）へのデータ接続確立（430）の開始とを実行させることを特徴とする制御装置。
【請求項７】
請求項６に記載の制御装置（120）において、該制御装置（120）は、前記移動体通信ネットワークのサービスであるメッセージングサービスおよび音声呼設定サービスのうちいずれかを用いて、前記トリガ信号を受信することを特徴とする制御装置。
【請求項８】
前記請求項のいずれかに記載の制御装置（120）において、該制御装置（120）によって実行される前記検出は、前記トリガ信号から導出された前記センタサーバ（300）のネットワーク識別子を該制御装置（120）との協働が許される少なくとも一つのセンタサーバ（300）を識別する格納情報と比較することと、前記トリガ信号のペイロードが所定の基準に従うことのうち少なくともいずれかであることを特徴とする制御装置。
【請求項９】
前記請求項のいずれかに記載の制御装置（120）において、該制御装置（120）は、該制御装置（120）と移動体通信ネットワーク内に属するネットワークノードとの間のPDPコンテキストの構築をすることによって、データ接続確立を開始するように構成されていることを特徴とする制御装置。
【請求項１０】
前記請求項のいずれかに記載の制御装置（120）において、該制御装置（120）はさらに、前記検出の肯定的結果を受けて、該制御装置(120)にアクセス可能な記憶部から前記センタサーバ（300）のアドレスを取得するように構成されていることを特徴とする制御装置。
【発明の詳細な説明】
【技術分野】
【０００１】
本発明は、一般的には遠隔モニタの技術分野に関する。より詳細には、本発明は、エレベータ、エスカレータまたは動く歩道の環境構造体における遠隔モニタの用に供する接続確立に関する。
【背景】
【０００２】
遠隔モニタは、多くの工業分野において重要な分野である。その目的は、遠隔装置とセンタ装置間でデータを送受信し、遠隔装置の動作状態をモニタし制御することにある。遠隔モニタは、エレベータ、エスカレータまたは動く歩道のソリューションの分野において重要であり、問題点および／または緊急事態を検出するとともに、遠隔で取得後の情報を分析することが必要である。
【０００３】
エレベータ等の遠隔モニタシステムを確立するためには、遠隔装置すなわちエレベータとセンタ装置すなわちセンタサーバとの間の接続が確立されなければならない。遠隔モニタは、一般的には少なくとも一つの移動端末が少なくとも一つのエレベータに動作可能に接続されるように構成され、これによって移動端末を介するエレベータとセンタサーバ間の接続を確立する。エレベータのモニタ専用の通信を維持するために、いわゆる無線構内ネットワークが使用される。無線構内ネットワークによって、構内ネットワークサーバとエレベータ制御装置に属する遠隔ルータとの間は直接的に接続可能となる。一般的に言えば、無線構内ネットワークは、無線仮想ネットワークを提供する管理者によって認証され権限を与えられた既定の加入者のみアクセス可能である。
【０００４】
無線構内ネットワーク内のエンティティ間で送信される情報は、サブスクリプションがアクセス可能な移動体通信ネットワークまたは副ネットワークによって物理的接続が確立されるインターネットプロトコル(IP)を介して伝送される。したがって、移動端末は、移動体通信ネットワークの副ネットワークである無線構内ネットワークへのアクセスを可能にする必要なサブスクリプションを備える。例えば、サブスクリプションとは加入者特定カード(SIM)のことを指してもよい。IPプロトコルを介して確立される通信には、通信時に端末ごとにIPアドレスが与えられることが必要である。しかしながら、移動通信ネットワークを介するIP通信は通常、移動端末に割当て可能なIPアドレスのプールがあるように設定される。これは、一般的には静的ではないことを意味する。なぜならば、無作為の移動端末にIPアドレスを確保することは意味がないからである。このような設定の結果、エレベータに属する移動端末への通信を開始することは難しいことがわかる。なぜならば、センタサーバが通信しようとしているエレベータに動作可能に接続されるいくつかの移動端末のIPアドレスを、センタサーバが把握しているとは限らないからである。同じことが、ある無線構内ネットワークに属するエンティティ用に所定のIPアドレスの空間を確保しておくような状況の無線構内ネットワークにも当てはまる。
【０００５】
動的IPアドレスの問題は、エレベータ側、すなわち移動端末側を調整して、メッセージを一以上のセンタサーバに短い間隔で送信することにより、そのIPアドレスも送信することで解決しようとされることにある。これによって、サーバ側では最新の既知のIPアドレスを使用して、所望のエレベータに接続する確率が非常に高くなる。しかしながら、この構成の問題点は、エレベータから送信される一定の定期的なメッセージに費用こそかかるが、その場合でも、最新の既知のIPが間違っていることは少ない。
【０００６】
したがって、新規のソリューションおよび構成を用いて、上述した問題点を軽減する必要がある。
【概要】
【０００７】
本発明の様々な実施例の態様を本質的に理解すべく、簡略化した要旨を以下に示す。要旨は、本発明の広範な大要を示すものではない。本発明の主要もしくは重要な要素を認定することも、本発明の範囲を示すことも意図しない。下記の概要は単に、本発明の概念を簡略化した形式で、本発明の実施例を例示する更に詳細な説明の前置きとして示すにすぎない。
【０００８】
本発明の目的は、エレベータ、エスカレータまたは動く歩道の環境構造体におけるデータ接続を開始する方法および制御装置を示すことである。
【０００９】
本発明の目的は、各独立請求項で定義されるような方法および制御装置によって達成される。
【００１０】
第一態様によれば、次のようなセンタサーバとエレベータに通信可能に接続された制御装置との間におけるデータ接続の開始方法が提供される。すなわち本方法では、制御装置ではセンタサーバからトリガ信号を受信し、トリガ信号は制御装置が通信可能に接続されている移動体通信ネットワークの音声呼サービスまたはメッセージングサービスを用いて伝送され、トリガ信号が少なくとも一つの所定の要求に応じるか否かの検出をして、検出の肯定的結果を受けて制御装置からセンタサーバへのデータ接続確立を開始する。
【００１１】
トリガ信号に使用される移動体通信ネットワークのサービスは、メッセージングサービスおよび音声呼設定のうちいずれであってもよい。
【００１２】
検出は、トリガ信号から導出されたセンタサーバのネットワーク識別子を制御装置との協働が許される少なくとも一つのセンタサーバを識別する格納情報と比較すること、または、トリガ信号のペイロードが所定の基準に従うことのうち少なくともいずれであってもよい。
【００１３】
データ接続確立の開始には、制御装置と移動体通信ネットワーク内に属するネットワークノードとの間のPDPコンテキストの確立が含まれてもよい。
【００１４】
制御装置は、検出の肯定的結果を受けて、制御装置にアクセス可能な記憶部からセンタサーバのIPアドレスを取得するように構成されていてもよい。
【００１５】
第二態様によれば、エレベータの制御装置は、少なくとも一つの処理部と、コンピュータプログラムコードを含む少なくとも一つの記憶部とを有し、少なくとも一つの記憶部およびコンピュータプログラムコードは、少なくとも一つの処理部を用いて、制御装置に、制御装置と通信可能に接続されている移動体通信ネットワークのサービスを用いて伝送されるトリガ信号のセンタサーバからの受信と、トリガ信号が少なくとも一つの所定の要求に応じるか否かの検出と、検出の肯定的結果を受けての制御装置からセンタサーバへのデータ接続確立の開始とを実行させる。
【００１６】
制御装置は、移動体通信ネットワークのサービスであるメッセージングサービスおよび音声呼設定サービスのうちいずれかを用いて、トリガ信号を受信してもよい。
【００１７】
制御装置によって実行される検出は、トリガ信号から導出されたセンタサーバのネットワーク識別子を制御装置との協働が許される少なくとも一つのセンタサーバを識別する格納情報と比較することと、トリガ信号のペイロードが所定の基準に従うことのうち少なくともいずれであってもよい。
【００１８】
制御装置は、制御装置と移動体通信ネットワーク内に属するネットワークノードとの間のPDPコンテキストの構築をすることによって、データ接続確立を開始するように構成されていてもよい。
【００１９】
制御装置はさらに、検出の肯定的結果を受けて、制御装置にアクセス可能な記憶部からデータネットワーク内におけるセンタサーバのIPアドレスを取得するように構成されていてもよい。
【００２０】
本発明のさまざまな例示的および非限定的な実施例は、構成および動作方法の両方に関して、付加的な目的やその利点と併せて、添付図面と関連付けて読み取ることにより、具体的に例示している非限定的な実施例についての下記説明に基づいて最適に理解できるであろう。
【００２１】
本願書類において、動詞「有する」および「含む」は、記載されていない構成の存在を除外も義務付けもしない、任意の限定として用いられる。従属形式請求項に記載されている構成は、特に明示的に記載されていない限り、相互に自由に組合せ可能である。さらに、本願書類全体を通じて、「一つの」なる語、すなわち単数形の使用は、複数性を除外するものではない。
【図面の簡単な説明】
【００２２】
本発明の例示的で非限定的な実施形態およびそれらの利点は、添付の図面を参照しながら、以下の実施例の意味においてより詳細に説明される。
【図１】本発明を実現可能な環境構造体の一例の概略図である。
【図２】フローチャートで例示された本発明の原理の概略図である。
【図３】接続確立の一例の概略図である。
【図４】本発明の実施例に係る方法の概略図である。
【図５】本発明の実施例に係る制御装置および送受信部の概略図である。
【図６】本発明の実施例に係るセンタサーバの一例の概略図である。
【例示実施形態の説明】
【００２３】
明細書に記載される下記具体例は、添付の特許請求の範囲の技術的範囲および／または利用可能性を限定するものと理解すべきではない。明細書に記載される下記の例の一覧や群は、明示的に記載されていない限り網羅的なものではない。下記の本発明の着想は、エレベータを参照することにより説明されるが、本発明は、エスカレータおよび動く歩道でも同様の方法で適用可能である。
【００２４】
図１は、本発明を実現可能なエレベータ環境構造体の一例の概略図である。一以上のエレベータかご110が、建物内など設備100内にある一以上の昇降路115に沿って走行するように配置されている。エレベータかご110は、例えば、電動機とロープなどの機械的伝動要素とを有する伝動システムを用いて、昇降路115に沿って移動し、エレベータかご110へ伝動力を送達する。さらに、本エレベータソリューションは、乗客用エレベータかごの内側および外側に一以上の制御部を有し、このエレベータかごを使用する要求についてエレベータ制御装置120に通知してもよい。制御装置120は、エレベータシステムに属するエンティティの動作を制御し、さらにエレベータ内のセンサや測定装置からの情報を取得するように構成されている。制御装置120は、有線方式または無線方式により設備内で、エレベータシステムに属するエンティティのいずれかに通信可能に接続されてもよい。制御装置120はさらに、移動体通信ネットワーク200を介してセンタサーバ300との無線通信用加入者識別モジュール(SIM）135を備えた送受信部130を有していてもよく、ネットワーク200内で送受信部はSIMを用いてアクセスすることができる。移動体通信ネットワーク200は、無線アクセスネットワーク(RAN)210とコアネットワーク220とから構成されてもよい。RANは、少なくとも基地局と基地局の制御部を有する。制御部は、一般的には基地局に、そしてコアネットワーク要素に有線方式で接続される。次に、コアネットワーク220は、移動体通信ネットワークの動作を管理し制御する要素に加えて、例えば加入者に関する情報を保持する記録部も有する。したがって、センタサーバ300は、コアネットワークおよび無線アクセスネットワークを介して送受信部に接続されてもよい。センタサーバ300およびコアネットワーク要素は、必要に応じて、いくつかの相互接続装置を介して有線方式で通信可能に接続されてもよい。さらに、センタサーバ300と制御装置120に接続された一以上の送受信部との通信は、必要に応じて特定のアドレス空間が配置される既知の方法による構内無線ネットワークを用いて行われてもよい。例えば、エレベータの動作をモニタするサービス会社は、所定の副ネットワーク、例えば、別のリソース間のIPアドレスを割り当て、構内無線ネットワークでモニタを実行してもよい。図１に概略的に示された実施例は、本発明の主旨の範囲で、エレベータの制御装置120とセンタサーバ300との間に通信が実現され得る方法についての非限定的な例である。言い換えれば、図１は、すべての必要とされる通信用の要素または機能部を当然に開示しているわけではないが、本発明を説明するための根本的着想を開示している。
【００２５】
次に、本発明の原理をフローチャートとして概略的に示す図２を参照して本発明を説明する。本発明の目的は、センタサーバ300と移動体通信モジュール用の加入者識別モジュールを備える送受信部130との間のデータ接続の確立を開始することであり、これによって移動体通信ネットワークにより提供されるサービスを利用する。データ接続の確立は、有利には制御装置120の制御下で実行される。送受信部130は通信可能に制御装置120に接続され、制御装置120は全体的にまたは少なくとも部分的に送受信部130の動作を制御するように構成されていてもよい。本発明の実施例によれば、データ接続の確立は、移動体通信ネットワークにより提供される少なくとも一つのサービスを使用するトリガ信号250を用いて開始される。使用されるサービスは、例えば、音声呼サービスまたはショートメッセージサービスなどのメッセージングサービスであってもよく、このサービスはいわゆるSS7制御チャネルの一部である。一般的にSS7は、シグナリングプロトコル一式であり、ほとんどの電話呼の確立に用いられる。言い換えれば、SS7を用いて、当該の通信ネットワークにおける通話確立などの一定の機能を果たすネットワーク要素間で情報交換する。ここで、送受信部130が所定のトリガ信号250を受信すると、送受信部は、受信したトリガ信号に載っている上の情報をデータ接続確立要求255として、制御装置120に伝送することができ、あるいは、トリガ信号250から導出可能な情報をエレベータの制御装置120に伝送することができる。制御装置120は、データ接続要求255ひいてはトリガ信号250が少なくとも一つの所定の要求に従うことを検出するように構成され、これを制御装置120側からサーバ300に対してデータ接続を要求する一つのトリガ信号と判断する。制御装置120は、データ接続要求255が少なくとも一つの要求に応えない場合には、送受信部130でトリガ信号250の受信に起因する任意および／またはすべての動作を中止するように構成されていてもよい。図２で概略的に示すように、受信されたデータ接続要求255ひいてはトリガ信号250が少なくとも一つの所定の要求を満たす状況において、制御装置120は、後でさらに詳細に説明するように、送受信部を介してセンタサーバ300へのデータ接続260を確立するように構成されていてもよい。確立したデータ接続に応えて、制御装置120によってエレベータエンティティ290から取得されたデータ265および／または制御装置120自身から生じたデータ265は、センタサーバ300と交換270してもよい。代替的または付加的に、センタサーバは、データを制御装置120へデータ接続を通して伝送してもよい。このようなデータは、例えば、制御装置120および／もしくは制御装置120の後段にあるエレベータエンティティの動作への命令、または適用領域に関する他のデータであってもよい。ある時点でデータ交換の必要がなくなると、サーバ300または制御装置120のいずれかはデータ接続を解消する（図２の矢印280、285）ように構成されていてもよい。
【００２６】
次に、トリガ信号250についてさらに詳細に検討する。前述のとおり、トリガ信号250は、本発明によれば、移動体通信ネットワークにより提供される少なくとも一つのサービスの利用などをする。第一実施例によれば、本サービスは、サーバ300から送受信部130に属する加入者識別モジュールによって規定された加入者への呼の確立であってもよい。移動体通信ネットワーク内の各サブスクリプションは、移動加入者識別番号(IMSI)およびそれに関連するキーを格納し、IMSIおよび関連するキーを使用して、移動体接続ネットワーク内で当該加入者を特定し認証する。呼の確立自体は、対応する通信規格で定められるので、ここでは説明しない。しかしながら、一般的に言えば、センタサーバはサブスクリプションに関する情報を格納し、制御装置120内に各サブスクリプションを割り当てることができる。その結果として、センタサーバ300は、移動体通信ネットワークを介して情報を交換し、サブスクリプションへの呼の接続を開始しようとする制御装置120を決定することができる。言い換えれば、そのサブスクリプションのIMSIをいわゆるＢナンバー（被呼者番号）として使用することで、呼接続は開始され、移動体通信ネットワーク内のサブスクリプションに到達する。一般的には、Ａナンバー（発呼者番号）も、被呼者への呼設定要求、すなわち、通信可能にエレベータの制御装置120に接続された送受信部130内に属するサブスクリプションへ伝送される。本発明の第二実施例によれば、既に述べた通り、トリガ信号に用いられる移動体通信ネットワークサービスは、メッセージングサービスであってもよい。このようなメッセージサービスは、例えばショートメッセージサービス(SMS)またはマルチメディアメッセージングサービス(MMS)であってもよいが、これらには限定されない。また、メッセージングサービスでは、Ｂナンバー、すなわち被呼者（メッセージの受信者）は、一般的にはメッセージデータ（例えば、メッセージのヘッダ部分）に転送される。送信者情報(Ａナンバー)も、本発明の少なくともいくつかの実施例での要求として転送されてよい。特に、トリガ信号250がメッセージである場合、後述する通り、メッセージ本文が本発明に関連するデータを含むように設定されてもよい。
【００２７】
次に、送受信部がトリガ信号を受信し、その情報に制御装置120がアクセスするように構成されている状態を説明する。第一実施例において、本発明に係るソリューションは、トリガ信号が呼接続であるように実現される。言い換えれば、センタサーバ300は、送受信部130内に属するサブスクリプションに対する呼設定を開始するように構成されている。このような実施例による呼設定要求は、上記で定義したように、Ａナンバー、すなわちセンタサーバ300のネットワーク識別子、およびＢナンバーに関する情報を送信するように構成されている。送受信部130がセンタサーバ300から呼設定要求を受信すると、制御装置120が送受信部130の動作を制御するように構成されてもよい。その結果、呼設定要求が応答して、呼接続が確立されるか、または呼設定要求には全く反応しないように送受信部130が制御されるか、または、送受信部130は呼設定要求を能動的に拒絶するよう制御されるかもしくは構成される。実施形態に関わらず、制御装置120は、少なくとも加入者（Ａナンバー）に関する情報を受信し、送受信部130内に属するサブスクリプションに対して呼設定しようとする。ここで、制御装置120は、正規のＡナンバーに関する情報を制御装置120によりアクセス可能な記憶部内に格納するように構成されてもよい。代替的または付加的に、制御装置120は、呼設定要求から導出されるＡナンバーが正規であるか否かを、所定のサービスに照会を開始するよう構成されてもよい。正規のＡナンバーは、ここでは、制御装置120により接続要求がアクセス可能である加入者を意味する。この場合、相手方は、もし他の必要性があるならば制御装置120に遠隔モニタ目的用データを交換させる少なくとも一つのセンタサーバ300であってもよい。Ａナンバーが少なくとも一つのサブスクリプションナンバー、すなわち、制御装置120の記憶部内にある既定のまたは照会で確認されたネットワーク識別子と適合する場合に、制御装置120がデータ接続をセンタサーバ300に対して開始するように構成されてもよい。
【００２８】
他のいくつかの実施例によれば、トリガ信号は、ショートメッセージなどのメッセージで実現されてもよい。同様に、上述の呼トリガにおいては、制御装置120は、送信者ナンバーを送受信部130が受信したショートメッセージから導出し、上述した通り照合することができる。さらにいくつかの実施例では、保安性を向上させるために、メッセージ本文、すなわちペイロードは、制御装置120により確認されるいくつかの付加的情報を含んでいてもよく、これによって、トリガ信号が正規であり、センタサーバ300がデータ接続確立を要求しているものと判断する。例えば、正規のメッセージ本文は、所定のフォーマット、例えば、所定の文字数を有し、および／または所定のキーストリングを有し、および／または所定の識別子を有し、および／または開示された情報を有してもよく、所定の順序（すなわち、メッセージの構造が事前定義される）で、トリガ信号ペイロードが所定の基準に従う。実施例はこれらの例のみに限定されない。制御装置120は、メッセージ本文内の受信情報と、格納された情報、すなわち制御装置120がアクセス可能な情報とを比較して、トリガ信号を受入れ可能であるか否かを決定するように構成されてもよい。制御装置120は、送信者ナンバーもしくはメッセージ本文内情報のいずれか、または、メッセージのヘッダ情報でさえも、またはこれらの組合せを用いて、トリガ信号が正規のものであるか否かを決定するように構成されてもよい。
【００２９】
次に、主に図３を参照して説明する状態において、制御装置120はトリガ信号が正規であることを確認し、その結果として、制御装置120はデータ接続の確立に応じて、例えば、送受信部に指示345をすることができる旨を決定する。IPデータ接続は、送受信部130を介して制御装置とセンタサーバ300との間で、移動体通信ネットワーク200を介して確立し、送受信部130内のサブスクリプションは、移動体通信ネットワーク200にパケットデータ接続を確立し、情報交換するためにセンタサーバ300に到達する。本発明の一例によれば、パケットデータ接続は、コアネットワークノードからパケットデータコンテキストの有効化350を要求することにより確立され得る。その要求は、SGSN（サービス提供ＧＰＲＳサポートノード）のようなネットワークノードに向けたPDPコンテキストの起動要求であってもよい。要求は、オプションパラメータ、例えば、要求されたQoS、要求されたNSAPI、MS PDP address、プロトコル設定オプション、およびAPN（アクセスポイントネーム）などを担持することができる。APNは、送受信部130内の設定で決められ、PDPコンテキスト設定要求のコンテキストでコアネットワークノードに伝送される。SGSN内のPDPコンテキスト要求350の受信に応答して、SGSNはゲートウェイGPRSサポートノード（GGSN）アドレスをAPN識別子から導出し、要求をGGSNへ転送するように構成してもよい。GGSNは、例えば、インターネットやX.25ネットワークなどの移動体通信ネットワーク（GPRSネットワーク）と外部パケット交換ネットワークとの間の相互運用に従事する。SGSNは、ダウンリンクGTP（GPRSトンネリングプロトコル）トンネルを開き、IPパケットをGGSNからSGSNへルーティングするように構成されてもよい。さらに、SGSNは、送受信部130を用いてセキュリティ機能360を実行し、少なくとも送受信部1130を認証するように構成されてもよい。SGSNとGGSNとSGSNと送受信部130との間の通信チャネルの準備が成立することに応えて、SGSNはPDPコンテキストの有効化（例えばPDPコンテキスト受容メッセージの起動）についての確認を、任意のパラメータで送受信部130へ送信してもよい。一旦、PDPコンテキストが、移動体通信ネットワーク内でおよびネットワークを介してインターネットへ起動されると、制御装置120はセンタサーバ300を用いて通信380を開始することができる。通信の開始は、例えば、起動したPDPコンテキストに関する受信確認に応えて実行され、制御装置120は、装置120によってアクセス可能なデータ格納部から通信ネットワークに属するセンタサーバ300のIPアドレスなどのネットワークアドレスを検索し、所定の手順でアドレスに対する接続を開始するように構成されてもよい。データ接続確立についての上述の説明は、必須のステップを概略的に開示するものと考えられているが、必ずしも詳細のすべてを開示するわけではない。
【００３０】
図４は、制御装置120の観点からの本発明の実施例による方法の概略図である。本図において、制御装置120および送受信部130は相互に接続されるものとされ、これらのエンティティ間の通信については説明しない。第一段階で、制御装置410は、移動体通信ネットワークによって提供されるサービスを使用して伝送されたトリガ信号410を受信することができる。このサービスは、例えば、回線交換呼設定またはメッセージングサービスであってもよい。制御装置は、トリガ信号の情報受信、または、トリガ信号を用いて開始する他の通信が正規であるか否かについての検出420をするように構成されてもよい。検査は既に説明した通りの方法で実行されてもよい。トリガ信号が正規である場合、センタサーバ130に対するデータ接続確立430を開始し、少なくとも部分的にデータ接続を移動体通信ネットワークに対して確立し、センタサーバ130とデータを交換するよう制御装置120を構成してもよい。
【００３１】
図５は、本発明の実施例による制御装置120および送受信部130の概略図である。制御装置120は、例えば、一以上の処理部510、一以上の処理部510によって実行されるソフトウェア530などのデータを格納する一以上の記憶部520を有し、制御装置120および／または外部エンティティの動作を制御する命令を生成してもよい。さらに、制御装置120は、いわゆる入出力装置(I/O)540を有し、入出力装置を用いて制御装置120を働かせてもよい。制御装置120は、例えば、送信／受信装置TX/RXを含む一以上の通信インターフェースも有していてよい。上述の要素は、直接的または間接的に相互通信可能に接続されてよい。I/O装置540は、必要となる入出力装置のことを意味し、装置540によって制御装置120とのデータの入出力が可能である。I/O装置540は、制御装置120専用の要素を有し、例えば当該の通信ネットワークを操作してもよい。このような要素は、例えば、パラメータ測定のために構成されているデジタル測定装置などの適用可能なセンサであってもよく、これによってセンタサーバ300に必要なデータを生成する。センサは、制御装置120の外部であり測定データの取得が可能な一以上のエレベータエンティティ内などに存在していてもよい。通信インターフェース550は、ネットワークアダプタを有していてもよく、ネットワークアダプタは、制御装置120の通信を少なくともネットワークエンティティに実現するために必要であり、図５に別の装置として示されている送受信部130にも実現することができる。制御装置120は、電源のような付加的要素も有するが、明白であるために図５には明示されていない。図５の制御装置120の描写は一例であり、本ソリューションで適用される制御装置120は、図示された例から変わってもよい。
【００３２】
送受信部130は、図５に概略的に示した通り、一以上の処理部560、一以上の処理部560によって実施されるソフトウェア570などのデータを格納する一以上の記憶部565を有し、送受信部130および／または任意の外部エンティティの操作を制御する命令を生成する。さらに、送受信部130は、いわゆる入出力装置(I/O)575を有し、入出力装置575を用いて送受信部130を働かせてもよい。送受信部130は、例えば、送信／受信装置TX/RXを含む一以上の通信インターフェース580を有していてもよい。さらに、送受信部130は、送受信部が少なくとも部分的に通信に使用する、少なくとも移動体通信ネットワークへのサブスクリプションを含むスマートカード585を備えてもよい。サブスクリプションは、SIMカードなどの物理的スマートカード、ソフトウェアでも実現され得る。上述の要素は、通信可能に直接的または間接的に相互接続されてもよい。I/O装置575とは、必要となる入出力装置のことを指し、入出力装置によって送受信部130との間でデータを入出力することが可能となる。I/O装置575は、例えば当該の通信ネットワークで作動する、送受信部130に専用の要素を有していてもよい。かかる要素は、例えば、パラメータを測定するように構成されたデジタル測定装置などの適用可能なセンサであってもよい。通信インターフェース580は、送受信部130の少なくともネットワークエンティティとの、しかしながら図５で別装置として示された制御装置120との通信も実現するために必要なネットワークアダプタを有していてもよい。送受信部130は、電源などの付加的要素を有していてもよいが、明白であるために図５には明示されていない。図５の送受信部130の描写は一例であり、本ソリューションで適用される送受信部130は、図示された例から変わっていてもよい。
【００３３】
図６は、本発明の原理と適合する実施形態によるセンタサーバ300の例の概略図である。センタサーバ300は、バス610、一以上の処理部615、一以上の記憶部620、入出力装置(I/O)625および一以上の通信インターフェース630を有してもよい。バス610は、センタサーバ300の内部要素間の通信手段または方法を含んでいてよい。
【００３４】
処理部615は、コンピュータプログラムコードの各部によって定義された命令を解釈し実行する一以上の従来のプロセッサ、一以上のマイクロプロセッサ、または一以上のプロセス論理回路、またはこれらの任意の組合せを有してもよい。記憶部620は、処理部615によって実行されるソフトウェア形式で情報および命令を格納してもよい。
【００３５】
入力手段625は、ユーザが情報をセンタサーバ300に入力できる、キーボード、マウス、ペン、タッチ画面、音声認識部および／または生体認証機構などの従来機構を有していてもよい。出力手段625は、ユーザに情報を出力する、ディスプレイ、プリンタ、スピーカ等を含む従来機構を有していてもよい。通信インターフェース630によって、センタサーバは他のノードおよび／またはシステムと、例えばネットワークを介して通信できる。例えば、通信インターフェース630は、非限定的な例として、ネットワークなどの外部エンティティとの、およびデータベースやレジスタなどのネットワーク要素との通信機構を有していてもよい。
【００３６】
上述のようなセンタサーバ300の具現化は非限定的な例である。本発明では、センタサーバ300という用語は、記載のとおりセンタサーバの機能部を調整可能な実施形態のことを指すと理解すべきである。例えば、機能部はいわゆるクラウドコンピューティングソリューションを用いて実現することができ、いわゆる仮想サーバが少なくとも機能部の一部を実現するように構成されていてもよい。上述の通り、同様の構成は制御装置120にも適用可能である。
【００３７】
既に述べたように、本発明は、エレベータ環境構造体に加えてエスカレータおよび動く歩道のソリューションにも適用可能である。
【００３８】
全体として、本発明によれば、高度な方法でデータ接続確立を開始することができる。本発明によって、エレベータ、エスカレータおよび動く歩道の環境構造体でのサービスレベルが向上し得る。
【００３９】
明細書に記載された上記具体例は、添付の特許請求の範囲の利用可能性および／または解釈を限定するものと理解すべきではない。明細書に記載された上記の例の一覧や群は、明らかにそれと異なるように記載されていない限り網羅的なものではない。
【図１】
2019536711.tif 000003
【図２】
2019536711.tif 000004
【図３】
2019536711.tif 000005
【図４】
2019536711.tif 000006
【図５】
2019536711.tif 000007
【図６】
2019536711.tif 000008
【手続補正書】
【提出日】平成30年7月13日(2018.7.13)
【手続補正１】
【補正対象書類名】明細書
【補正対象項目名】全文
【補正方法】変更
【補正の内容】
【発明の詳細な説明】
【技術分野】
【０００１】
本発明は、一般的には遠隔モニタの技術分野に関する。より詳細には、本発明は、エレベータ、エスカレータまたは動く歩道の環境構造体における遠隔モニタの用に供する接続確立に関する。
【背景】
【０００２】
遠隔モニタは、多くの工業分野において重要な分野である。その目的は、遠隔装置とセンタ装置間でデータを送受信し、遠隔装置の動作状態をモニタし制御することにある。遠隔モニタは、エレベータ、エスカレータまたは動く歩道のソリューションの分野において重要であり、問題点および／または緊急事態を検出するとともに、遠隔で取得後の情報を分析することが必要である。
【０００３】
エレベータ等の遠隔モニタシステムを確立するためには、遠隔装置すなわちエレベータとセンタ装置すなわちセンタサーバとの間の接続が確立されなければならない。遠隔モニタは、一般的には少なくとも一つの移動端末が少なくとも一つのエレベータに動作可能に接続されるように構成され、これによって移動端末を介するエレベータとセンタサーバ間の接続を確立する。エレベータのモニタ専用の通信を維持するために、いわゆる無線構内ネットワークが使用される。無線構内ネットワークによって、構内ネットワークサーバとエレベータ制御装置に属する遠隔ルータとの間は直接的に接続可能となる。一般的に言えば、無線構内ネットワークは、無線仮想ネットワークを提供する管理者によって認証され権限を与えられた既定の加入者のみアクセス可能である。
【０００４】
無線構内ネットワーク内のエンティティ間で送信される情報は、サブスクリプションがアクセス可能な移動体通信ネットワークまたは副ネットワークによって物理的接続が確立されるインターネットプロトコル(IP)を介して伝送される。したがって、移動端末は、移動体通信ネットワークの副ネットワークである無線構内ネットワークへのアクセスを可能にする必要なサブスクリプションを備える。例えば、サブスクリプションとは加入者特定カード(SIM)のことを指してもよい。IPプロトコルを介して確立される通信には、通信時に端末ごとにIPアドレスが与えられることが必要である。しかしながら、移動通信ネットワークを介するIP通信は通常、移動端末に割当て可能なIPアドレスのプールがあるように設定される。これは、一般的には静的ではないことを意味する。なぜならば、無作為の移動端末にIPアドレスを確保することは意味がないからである。このような設定の結果、エレベータに属する移動端末への通信を開始することは難しいことがわかる。なぜならば、センタサーバが通信しようとしているエレベータに動作可能に接続されるいくつかの移動端末のIPアドレスを、センタサーバが把握しているとは限らないからである。同じことが、ある無線構内ネットワークに属するエンティティ用に所定のIPアドレスの空間を確保しておくような状況の無線構内ネットワークにも当てはまる。
【０００５】
動的IPアドレスの問題は、エレベータ側、すなわち移動端末側を調整して、メッセージを一以上のセンタサーバに短い間隔で送信することにより、そのIPアドレスも送信することで解決しようとされることにある。これによって、サーバ側では最新の既知のIPアドレスを使用して、所望のエレベータに接続する確率が非常に高くなる。しかしながら、この構成の問題点は、エレベータから送信される一定の定期的なメッセージに費用こそかかるが、その場合でも、最新の既知のIPが間違っていることは少ない。
【０００６】
移動体通信ネットワークを介するマシンツーマシン通信を確立する一例は、国際公開公報WO2014/070649号で示されている。
【０００７】
したがって、新規のソリューションおよび構成を用いて、上述した問題点を軽減する必要がある。
【概要】
【０００８】
本発明の様々な実施例の態様を本質的に理解すべく、簡略化した要旨を以下に示す。要旨は、本発明の広範な大要を示すものではない。本発明の主要もしくは重要な要素を認定することも、本発明の範囲を示すことも意図しない。下記の概要は単に、本発明の概念を簡略化した形式で、本発明の実施例を例示する更に詳細な説明の前置きとして示すにすぎない。
【０００９】
本発明の目的は、エレベータ、エスカレータまたは動く歩道の環境構造体におけるデータ接続を開始する方法および制御装置を示すことである。
【００１０】
本発明の目的は、各独立請求項で定義されるような方法および制御装置によって達成される。
【００１１】
第一態様によれば、次のようなセンタサーバとエレベータに通信可能に接続された制御装置との間におけるデータ接続の開始方法が提供される。すなわち本方法では、制御装置ではセンタサーバからトリガ信号を受信し、トリガ信号は制御装置が通信可能に接続されている移動体通信ネットワークの音声呼サービスまたはメッセージングサービスを用いて伝送され、トリガ信号が少なくとも一つの所定の要求に応じるか否かの検出をして、検出の肯定的結果を受けて制御装置からセンタサーバへのデータ接続確立を開始する。
【００１２】
トリガ信号に使用される移動体通信ネットワークのサービスは、メッセージングサービスおよび音声呼設定のうちいずれであってもよい。
【００１３】
検出は、トリガ信号から導出されたセンタサーバのネットワーク識別子を制御装置との協働が許される少なくとも一つのセンタサーバを識別する格納情報と比較すること、または、トリガ信号のペイロードが所定の基準に従うことのうち少なくともいずれであってもよい。
【００１４】
データ接続確立の開始には、制御装置と移動体通信ネットワーク内に属するネットワークノードとの間のPDPコンテキストの確立が含まれてもよい。
【００１５】
制御装置は、検出の肯定的結果を受けて、制御装置にアクセス可能な記憶部からセンタサーバのIPアドレスを取得するように構成されていてもよい。
【００１６】
第二態様によれば、エレベータの制御装置は、少なくとも一つの処理部と、コンピュータプログラムコードを含む少なくとも一つの記憶部とを有し、少なくとも一つの記憶部およびコンピュータプログラムコードは、少なくとも一つの処理部を用いて、制御装置に、制御装置と通信可能に接続されている移動体通信ネットワークのサービスを用いて伝送されるトリガ信号のセンタサーバからの受信と、トリガ信号が少なくとも一つの所定の要求に応じるか否かの検出と、検出の肯定的結果を受けての制御装置からセンタサーバへのデータ接続確立の開始とを実行させる。
【００１７】
制御装置は、移動体通信ネットワークのサービスであるメッセージングサービスおよび音声呼設定サービスのうちいずれかを用いて、トリガ信号を受信してもよい。
【００１８】
制御装置によって実行される検出は、トリガ信号から導出されたセンタサーバのネットワーク識別子を制御装置との協働が許される少なくとも一つのセンタサーバを識別する格納情報と比較することと、トリガ信号のペイロードが所定の基準に従うことのうち少なくともいずれであってもよい。
【００１９】
制御装置は、制御装置と移動体通信ネットワーク内に属するネットワークノードとの間のPDPコンテキストの構築をすることによって、データ接続確立を開始するように構成されていてもよい。
【００２０】
制御装置はさらに、検出の肯定的結果を受けて、制御装置にアクセス可能な記憶部からデータネットワーク内におけるセンタサーバのIPアドレスを取得するように構成されていてもよい。
【００２１】
本発明のさまざまな例示的および非限定的な実施例は、構成および動作方法の両方に関して、付加的な目的やその利点と併せて、添付図面と関連付けて読み取ることにより、具体的に例示している非限定的な実施例についての下記説明に基づいて最適に理解できるであろう。
【００２２】
本願書類において、動詞「有する」および「含む」は、記載されていない構成の存在を除外も義務付けもしない、任意の限定として用いられる。従属形式請求項に記載されている構成は、特に明示的に記載されていない限り、相互に自由に組合せ可能である。さらに、本願書類全体を通じて、「一つの」なる語、すなわち単数形の使用は、複数性を除外するものではない。
【図面の簡単な説明】
【００２３】
本発明の例示的で非限定的な実施形態およびそれらの利点は、添付の図面を参照しながら、以下の実施例の意味においてより詳細に説明される。
【図１】本発明を実現可能な環境構造体の一例の概略図である。
【図２】フローチャートで例示された本発明の原理の概略図である。
【図３】接続確立の一例の概略図である。
【図４】本発明の実施例に係る方法の概略図である。
【図５】本発明の実施例に係る制御装置および送受信部の概略図である。
【図６】本発明の実施例に係るセンタサーバの一例の概略図である。
【例示実施形態の説明】
【００２４】
明細書に記載される下記具体例は、添付の特許請求の範囲の技術的範囲および／または利用可能性を限定するものと理解すべきではない。明細書に記載される下記の例の一覧や群は、明示的に記載されていない限り網羅的なものではない。下記の本発明の着想は、エレベータを参照することにより説明されるが、本発明は、エスカレータおよび動く歩道でも同様の方法で適用可能である。
【００２５】
図１は、本発明を実現可能なエレベータ環境構造体の一例の概略図である。一以上のエレベータかご110が、建物内など設備100内にある一以上の昇降路115に沿って走行するように配置されている。エレベータかご110は、例えば、電動機とロープなどの機械的伝動要素とを有する伝動システムを用いて、昇降路115に沿って移動し、エレベータかご110へ伝動力を送達する。さらに、本エレベータソリューションは、乗客用エレベータかごの内側および外側に一以上の制御部を有し、このエレベータかごを使用する要求についてエレベータ制御装置120に通知してもよい。制御装置120は、エレベータシステムに属するエンティティの動作を制御し、さらにエレベータ内のセンサや測定装置からの情報を取得するように構成されている。制御装置120は、有線方式または無線方式により設備内で、エレベータシステムに属するエンティティのいずれかに通信可能に接続されてもよい。制御装置120はさらに、移動体通信ネットワーク200を介してセンタサーバ300との無線通信用加入者識別モジュール(SIM）135を備えた送受信部130を有していてもよく、ネットワーク200内で送受信部はSIMを用いてアクセスすることができる。移動体通信ネットワーク200は、無線アクセスネットワーク(RAN)210とコアネットワーク220とから構成されてもよい。RANは、少なくとも基地局と基地局の制御部を有する。制御部は、一般的には基地局に、そしてコアネットワーク要素に有線方式で接続される。次に、コアネットワーク220は、移動体通信ネットワークの動作を管理し制御する要素に加えて、例えば加入者に関する情報を保持する記録部も有する。したがって、センタサーバ300は、コアネットワークおよび無線アクセスネットワークを介して送受信部に接続されてもよい。センタサーバ300およびコアネットワーク要素は、必要に応じて、いくつかの相互接続装置を介して有線方式で通信可能に接続されてもよい。さらに、センタサーバ300と制御装置120に接続された一以上の送受信部との通信は、必要に応じて特定のアドレス空間が配置される既知の方法による構内無線ネットワークを用いて行われてもよい。例えば、エレベータの動作をモニタするサービス会社は、所定の副ネットワーク、例えば、別のリソース間のIPアドレスを割り当て、構内無線ネットワークでモニタを実行してもよい。図１に概略的に示された実施例は、本発明の主旨の範囲で、エレベータの制御装置120とセンタサーバ300との間に通信が実現され得る方法についての非限定的な例である。言い換えれば、図１は、すべての必要とされる通信用の要素または機能部を当然に開示しているわけではないが、本発明を説明するための根本的着想を開示している。
【００２６】
次に、本発明の原理をフローチャートとして概略的に示す図２を参照して本発明を説明する。本発明の目的は、センタサーバ300と移動体通信モジュール用の加入者識別モジュールを備える送受信部130との間のデータ接続の確立を開始することであり、これによって移動体通信ネットワークにより提供されるサービスを利用する。データ接続の確立は、有利には制御装置120の制御下で実行される。送受信部130は通信可能に制御装置120に接続され、制御装置120は全体的にまたは少なくとも部分的に送受信部130の動作を制御するように構成されていてもよい。本発明の実施例によれば、データ接続の確立は、移動体通信ネットワークにより提供される少なくとも一つのサービスを使用するトリガ信号250を用いて開始される。使用されるサービスは、例えば、音声呼サービスまたはショートメッセージサービスなどのメッセージングサービスであってもよく、このサービスはいわゆるSS7制御チャネルの一部である。一般的にSS7は、シグナリングプロトコル一式であり、ほとんどの電話呼の確立に用いられる。言い換えれば、SS7を用いて、当該の通信ネットワークにおける通話確立などの一定の機能を果たすネットワーク要素間で情報交換する。ここで、送受信部130が所定のトリガ信号250を受信すると、送受信部は、受信したトリガ信号に載っている上の情報をデータ接続確立要求255として、制御装置120に伝送することができ、あるいは、トリガ信号250から導出可能な情報をエレベータの制御装置120に伝送することができる。制御装置120は、データ接続要求255ひいてはトリガ信号250が少なくとも一つの所定の要求に従うことを検出するように構成され、これを制御装置120側からサーバ300に対してデータ接続を要求する一つのトリガ信号と判断する。制御装置120は、データ接続要求255が少なくとも一つの要求に応えない場合には、送受信部130でトリガ信号250の受信に起因する任意および／またはすべての動作を中止するように構成されていてもよい。図２で概略的に示すように、受信されたデータ接続要求255ひいてはトリガ信号250が少なくとも一つの所定の要求を満たす状況において、制御装置120は、後でさらに詳細に説明するように、送受信部を介してセンタサーバ300へのデータ接続260を確立するように構成されていてもよい。確立したデータ接続に応えて、制御装置120によってエレベータエンティティ290から取得されたデータ265および／または制御装置120自身から生じたデータ265は、センタサーバ300と交換270してもよい。代替的または付加的に、センタサーバは、データを制御装置120へデータ接続を通して伝送してもよい。このようなデータは、例えば、制御装置120および／もしくは制御装置120の後段にあるエレベータエンティティの動作への命令、または適用領域に関する他のデータであってもよい。ある時点でデータ交換の必要がなくなると、サーバ300または制御装置120のいずれかはデータ接続を解消する（図２の矢印280、285）ように構成されていてもよい。
【００２７】
次に、トリガ信号250についてさらに詳細に検討する。前述のとおり、トリガ信号250は、本発明によれば、移動体通信ネットワークにより提供される少なくとも一つのサービスの利用などをする。第一実施例によれば、本サービスは、サーバ300から送受信部130に属する加入者識別モジュールによって規定された加入者への呼の確立であってもよい。移動体通信ネットワーク内の各サブスクリプションは、移動加入者識別番号(IMSI)およびそれに関連するキーを格納し、IMSIおよび関連するキーを使用して、移動体接続ネットワーク内で当該加入者を特定し認証する。呼の確立自体は、対応する通信規格で定められるので、ここでは説明しない。しかしながら、一般的に言えば、センタサーバはサブスクリプションに関する情報を格納し、制御装置120内に各サブスクリプションを割り当てることができる。その結果として、センタサーバ300は、移動体通信ネットワークを介して情報を交換し、サブスクリプションへの呼の接続を開始しようとする制御装置120を決定することができる。言い換えれば、そのサブスクリプションのIMSIをいわゆるＢナンバー（被呼者番号）として使用することで、呼接続は開始され、移動体通信ネットワーク内のサブスクリプションに到達する。一般的には、Ａナンバー（発呼者番号）も、被呼者への呼設定要求、すなわち、通信可能にエレベータの制御装置120に接続された送受信部130内に属するサブスクリプションへ伝送される。本発明の第二実施例によれば、既に述べた通り、トリガ信号に用いられる移動体通信ネットワークサービスは、メッセージングサービスであってもよい。このようなメッセージサービスは、例えばショートメッセージサービス(SMS)またはマルチメディアメッセージングサービス(MMS)であってもよいが、これらには限定されない。また、メッセージングサービスでは、Ｂナンバー、すなわち被呼者（メッセージの受信者）は、一般的にはメッセージデータ（例えば、メッセージのヘッダ部分）に転送される。送信者情報(Ａナンバー)も、本発明の少なくともいくつかの実施例での要求として転送されてよい。特に、トリガ信号250がメッセージである場合、後述する通り、メッセージ本文が本発明に関連するデータを含むように設定されてもよい。
【００２８】
次に、送受信部がトリガ信号を受信し、その情報に制御装置120がアクセスするように構成されている状態を説明する。第一実施例において、本発明に係るソリューションは、トリガ信号が呼接続であるように実現される。言い換えれば、センタサーバ300は、送受信部130内に属するサブスクリプションに対する呼設定を開始するように構成されている。このような実施例による呼設定要求は、上記で定義したように、Ａナンバー、すなわちセンタサーバ300のネットワーク識別子、およびＢナンバーに関する情報を送信するように構成されている。送受信部130がセンタサーバ300から呼設定要求を受信すると、制御装置120が送受信部130の動作を制御するように構成されてもよい。その結果、呼設定要求が応答して、呼接続が確立されるか、または呼設定要求には全く反応しないように送受信部130が制御されるか、または、送受信部130は呼設定要求を能動的に拒絶するよう制御されるかもしくは構成される。実施形態に関わらず、制御装置120は、少なくとも加入者（Ａナンバー）に関する情報を受信し、送受信部130内に属するサブスクリプションに対して呼設定しようとする。ここで、制御装置120は、正規のＡナンバーに関する情報を制御装置120によりアクセス可能な記憶部内に格納するように構成されてもよい。代替的または付加的に、制御装置120は、呼設定要求から導出されるＡナンバーが正規であるか否かを、所定のサービスに照会を開始するよう構成されてもよい。正規のＡナンバーは、ここでは、制御装置120により接続要求がアクセス可能である加入者を意味する。この場合、相手方は、もし他の必要性があるならば制御装置120に遠隔モニタ目的用データを交換させる少なくとも一つのセンタサーバ300であってもよい。Ａナンバーが少なくとも一つのサブスクリプションナンバー、すなわち、制御装置120の記憶部内にある既定のまたは照会で確認されたネットワーク識別子と適合する場合に、制御装置120がデータ接続をセンタサーバ300に対して開始するように構成されてもよい。
【００２９】
他のいくつかの実施例によれば、トリガ信号は、ショートメッセージなどのメッセージで実現されてもよい。同様に、上述の呼トリガにおいては、制御装置120は、送信者ナンバーを送受信部130が受信したショートメッセージから導出し、上述した通り照合することができる。さらにいくつかの実施例では、保安性を向上させるために、メッセージ本文、すなわちペイロードは、制御装置120により確認されるいくつかの付加的情報を含んでいてもよく、これによって、トリガ信号が正規であり、センタサーバ300がデータ接続確立を要求しているものと判断する。例えば、正規のメッセージ本文は、所定のフォーマット、例えば、所定の文字数を有し、および／または所定のキーストリングを有し、および／または所定の識別子を有し、および／または開示された情報を有してもよく、所定の順序（すなわち、メッセージの構造が事前定義される）で、トリガ信号ペイロードが所定の基準に従う。実施例はこれらの例のみに限定されない。制御装置120は、メッセージ本文内の受信情報と、格納された情報、すなわち制御装置120がアクセス可能な情報とを比較して、トリガ信号を受入れ可能であるか否かを決定するように構成されてもよい。制御装置120は、送信者ナンバーもしくはメッセージ本文内情報のいずれか、または、メッセージのヘッダ情報でさえも、またはこれらの組合せを用いて、トリガ信号が正規のものであるか否かを決定するように構成されてもよい。
【００３０】
次に、主に図３を参照して説明する状態において、制御装置120はトリガ信号が正規であることを確認し、その結果として、制御装置120はデータ接続の確立に応じて、例えば、送受信部に指示345をすることができる旨を決定する。IPデータ接続は、送受信部130を介して制御装置とセンタサーバ300との間で、移動体通信ネットワーク200を介して確立し、送受信部130内のサブスクリプションは、移動体通信ネットワーク200にパケットデータ接続を確立し、情報交換するためにセンタサーバ300に到達する。本発明の一例によれば、パケットデータ接続は、コアネットワークノードからパケットデータコンテキストの有効化350を要求することにより確立され得る。その要求は、SGSN（サービス提供ＧＰＲＳサポートノード）のようなネットワークノードに向けたPDPコンテキストの起動要求であってもよい。要求は、オプションパラメータ、例えば、要求されたQoS、要求されたNSAPI、MS PDP address、プロトコル設定オプション、およびAPN（アクセスポイントネーム）などを担持することができる。APNは、送受信部130内の設定で決められ、PDPコンテキスト設定要求のコンテキストでコアネットワークノードに伝送される。SGSN内のPDPコンテキスト要求350の受信に応答して、SGSNはゲートウェイGPRSサポートノード（GGSN）アドレスをAPN識別子から導出し、要求をGGSNへ転送するように構成してもよい。GGSNは、例えば、インターネットやX.25ネットワークなどの移動体通信ネットワーク（GPRSネットワーク）と外部パケット交換ネットワークとの間の相互運用に従事する。SGSNは、ダウンリンクGTP（GPRSトンネリングプロトコル）トンネルを開き、IPパケットをGGSNからSGSNへルーティングするように構成されてもよい。さらに、SGSNは、送受信部130を用いてセキュリティ機能360を実行し、少なくとも送受信部1130を認証するように構成されてもよい。SGSNとGGSNとSGSNと送受信部130との間の通信チャネルの準備が成立することに応えて、SGSNはPDPコンテキストの有効化（例えばPDPコンテキスト受容メッセージの起動）についての確認を、任意のパラメータで送受信部130へ送信してもよい。一旦、PDPコンテキストが、移動体通信ネットワーク内でおよびネットワークを介してインターネットへ起動されると、制御装置120はセンタサーバ300を用いて通信380を開始することができる。通信の開始は、例えば、起動したPDPコンテキストに関する受信確認に応えて実行され、制御装置120は、装置120によってアクセス可能なデータ格納部から通信ネットワークに属するセンタサーバ300のIPアドレスなどのネットワークアドレスを検索し、所定の手順でアドレスに対する接続を開始するように構成されてもよい。データ接続確立についての上述の説明は、必須のステップを概略的に開示するものと考えられているが、必ずしも詳細のすべてを開示するわけではない。
【００３１】
図４は、制御装置120の観点からの本発明の実施例による方法の概略図である。本図において、制御装置120および送受信部130は相互に接続されるものとされ、これらのエンティティ間の通信については説明しない。第一段階で、制御装置410は、移動体通信ネットワークによって提供されるサービスを使用して伝送されたトリガ信号410を受信することができる。このサービスは、例えば、回線交換呼設定またはメッセージングサービスであってもよい。制御装置は、トリガ信号の情報受信、または、トリガ信号を用いて開始する他の通信が正規であるか否かについての検出420をするように構成されてもよい。検査は既に説明した通りの方法で実行されてもよい。トリガ信号が正規である場合、センタサーバ130に対するデータ接続確立430を開始し、少なくとも部分的にデータ接続を移動体通信ネットワークに対して確立し、センタサーバ130とデータを交換するよう制御装置120を構成してもよい。
【００３２】
図５は、本発明の実施例による制御装置120および送受信部130の概略図である。制御装置120は、例えば、一以上の処理部510、一以上の処理部510によって実行されるソフトウェア530などのデータを格納する一以上の記憶部520を有し、制御装置120および／または外部エンティティの動作を制御する命令を生成してもよい。さらに、制御装置120は、いわゆる入出力装置(I/O)540を有し、入出力装置を用いて制御装置120を働かせてもよい。制御装置120は、例えば、送信／受信装置TX/RXを含む一以上の通信インターフェースも有していてよい。上述の要素は、直接的または間接的に相互通信可能に接続されてよい。I/O装置540は、必要となる入出力装置のことを意味し、装置540によって制御装置120とのデータの入出力が可能である。I/O装置540は、制御装置120専用の要素を有し、例えば当該の通信ネットワークを操作してもよい。このような要素は、例えば、パラメータ測定のために構成されているデジタル測定装置などの適用可能なセンサであってもよく、これによってセンタサーバ300に必要なデータを生成する。センサは、制御装置120の外部であり測定データの取得が可能な一以上のエレベータエンティティ内などに存在していてもよい。通信インターフェース550は、ネットワークアダプタを有していてもよく、ネットワークアダプタは、制御装置120の通信を少なくともネットワークエンティティに実現するために必要であり、図５に別の装置として示されている送受信部130にも実現することができる。制御装置120は、電源のような付加的要素も有するが、明白であるために図５には明示されていない。図５の制御装置120の描写は一例であり、本ソリューションで適用される制御装置120は、図示された例から変わってもよい。
【００３３】
送受信部130は、図５に概略的に示した通り、一以上の処理部560、一以上の処理部560によって実施されるソフトウェア570などのデータを格納する一以上の記憶部565を有し、送受信部130および／または任意の外部エンティティの操作を制御する命令を生成する。さらに、送受信部130は、いわゆる入出力装置(I/O)575を有し、入出力装置575を用いて送受信部130を働かせてもよい。送受信部130は、例えば、送信／受信装置TX/RXを含む一以上の通信インターフェース580を有していてもよい。さらに、送受信部130は、送受信部が少なくとも部分的に通信に使用する、少なくとも移動体通信ネットワークへのサブスクリプションを含むスマートカード585を備えてもよい。サブスクリプションは、SIMカードなどの物理的スマートカード、ソフトウェアでも実現され得る。上述の要素は、通信可能に直接的または間接的に相互接続されてもよい。I/O装置575とは、必要となる入出力装置のことを指し、入出力装置によって送受信部130との間でデータを入出力することが可能となる。I/O装置575は、例えば当該の通信ネットワークで作動する、送受信部130に専用の要素を有していてもよい。かかる要素は、例えば、パラメータを測定するように構成されたデジタル測定装置などの適用可能なセンサであってもよい。通信インターフェース580は、送受信部130の少なくともネットワークエンティティとの、しかしながら図５で別装置として示された制御装置120との通信も実現するために必要なネットワークアダプタを有していてもよい。送受信部130は、電源などの付加的要素を有していてもよいが、明白であるために図５には明示されていない。図５の送受信部130の描写は一例であり、本ソリューションで適用される送受信部130は、図示された例から変わっていてもよい。
【００３４】
図６は、本発明の原理と適合する実施形態によるセンタサーバ300の例の概略図である。センタサーバ300は、バス610、一以上の処理部615、一以上の記憶部620、入出力装置(I/O)625および一以上の通信インターフェース630を有してもよい。バス610は、センタサーバ300の内部要素間の通信手段または方法を含んでいてよい。
【００３５】
処理部615は、コンピュータプログラムコードの各部によって定義された命令を解釈し実行する一以上の従来のプロセッサ、一以上のマイクロプロセッサ、または一以上のプロセス論理回路、またはこれらの任意の組合せを有してもよい。記憶部620は、処理部615によって実行されるソフトウェア形式で情報および命令を格納してもよい。
【００３６】
入力手段625は、ユーザが情報をセンタサーバ300に入力できる、キーボード、マウス、ペン、タッチ画面、音声認識部および／または生体認証機構などの従来機構を有していてもよい。出力手段625は、ユーザに情報を出力する、ディスプレイ、プリンタ、スピーカ等を含む従来機構を有していてもよい。通信インターフェース630によって、センタサーバは他のノードおよび／またはシステムと、例えばネットワークを介して通信できる。例えば、通信インターフェース630は、非限定的な例として、ネットワークなどの外部エンティティとの、およびデータベースやレジスタなどのネットワーク要素との通信機構を有していてもよい。
【００３７】
上述のようなセンタサーバ300の具現化は非限定的な例である。本発明では、センタサーバ300という用語は、記載のとおりセンタサーバの機能部を調整可能な実施形態のことを指すと理解すべきである。例えば、機能部はいわゆるクラウドコンピューティングソリューションを用いて実現することができ、いわゆる仮想サーバが少なくとも機能部の一部を実現するように構成されていてもよい。上述の通り、同様の構成は制御装置120にも適用可能である。
【００３８】
既に述べたように、本発明は、エレベータ環境構造体に加えてエスカレータおよび動く歩道のソリューションにも適用可能である。
【００３９】
全体として、本発明によれば、高度な方法でデータ接続確立を開始することができる。本発明によって、エレベータ、エスカレータおよび動く歩道の環境構造体でのサービスレベルが向上し得る。
【００４０】
明細書に記載された上記具体例は、添付の特許請求の範囲の利用可能性および／または解釈を限定するものと理解すべきではない。明細書に記載された上記の例の一覧や群は、明らかにそれと異なるように記載されていない限り網羅的なものではない。
【手続補正２】
【補正対象書類名】特許請求の範囲
【補正対象項目名】全文
【補正方法】変更
【補正の内容】
【特許請求の範囲】
【請求項１】
センタサーバ（300）とエレベータ（100）、エスカレータまたは動く歩道に通信可能に接続された制御装置（120）との間におけるデータ接続の開始方法であって、該方法は、
前記制御装置（120）では、前記センタサーバ（300）からトリガ信号（410）を受信し、該トリガ信号は、前記制御装置（120）が通信可能に接続されている移動体通信ネットワークの音声呼サービスまたはメッセージングサービスを用いて伝送され、
前記トリガ信号が少なくとも一つの所定の要求に応じるか否かの検出（420）をして、
該検出の肯定的結果を受けて、前記制御装置（120）から前記センタサーバ（300）へのIPに基づくデータ接続確立（430）を開始することを特徴とする開始方法。
【請求項２】
請求項１に記載の方法において、前記トリガ信号に使用される前記移動体通信ネットワークのサービスは、ショートメッセージングサービスおよび音声呼設定のうちいずれかであることを特徴とする方法。
【請求項３】
前記請求項のいずれかに記載の方法において、前記検出は、前記トリガ信号から導出された前記センタサーバ（300）のネットワーク識別子を前記制御装置（120）との協働が許される少なくとも一つのセンタサーバ（300）を識別する格納情報と比較すること、または、前記トリガ信号のペイロードが所定の基準に従うことのうち少なくともいずれかであることを特徴とする方法。
【請求項４】
前記請求項のいずれかに記載の方法において、前記IPに基づくデータ接続確立の開始には、前記制御装置（120）と移動体通信ネットワーク内に属するネットワークノードとの間のPDPコンテキストの構築が含まれることを特徴とする方法。
【請求項５】
前記請求項のいずれかに記載の方法において、前記制御装置（120）は、前記検出の肯定的結果を受けて、前記制御装置にアクセス可能な記憶部から前記データネットワークにおける前記センタサーバ（300）のIPアドレスを取得するように構成されていることを特徴とする方法。
【請求項６】
エレベータ（100）、エスカレータまたは動く歩道の制御装置（120）であって、該制御装置（120）は、
少なくとも一つの処理部（510）と、
コンピュータプログラムコードを含む少なくとも一つの記憶部（520）とを有し、
該少なくとも一つの記憶部（520）および前記コンピュータプログラムコードは、少なくとも一つの処理部（510）を用いて、該制御装置（120）に、
該制御装置（120）と通信可能に接続されている移動体通信ネットワークの音声呼サービスまたはメッセージングサービスを用いて伝送されるトリガ信号（410）のセンタサーバ（300）からの受信と、
前記トリガ信号が少なくとも一つの所定の要求に応じるか否かの検出（420）と、
該検出の肯定的な結果を受けて、該制御装置（120）から前記センタサーバ（300）へのIPに基づくデータ接続確立（430）の開始とを実行させることを特徴とする制御装置。
【請求項７】
請求項６に記載の制御装置（120）において、該制御装置（120）は、前記移動体通信ネットワークのサービスであるショートメッセージングサービスおよび音声呼設定サービスのうちいずれかを用いて、前記トリガ信号を受信することを特徴とする制御装置。
【請求項８】
前記請求項６または７のいずれかに記載の制御装置（120）において、該制御装置（120）によって実行される前記検出は、前記トリガ信号から導出された前記センタサーバ（300）のネットワーク識別子を該制御装置（120）との協働が許される少なくとも一つのセンタサーバ（300）を識別する格納情報と比較することと、前記トリガ信号のペイロードが所定の基準に従うことのうち少なくともいずれかであることを特徴とする制御装置。
【請求項９】
前記請求項６ないし８のいずれかに記載の制御装置（120）において、該制御装置（120）は、該制御装置（120）と移動体通信ネットワーク内に属するネットワークノードとの間のPDPコンテキストの構築をすることによって、データ接続確立を開始するように構成されていることを特徴とする制御装置。
【請求項１０】
前記請求項６ないし９のいずれかに記載の制御装置（120）において、該制御装置（120）はさらに、前記検出の肯定的結果を受けて、該制御装置(120)にアクセス可能な記憶部から前記データネットワーク内における前記センタサーバ（300）のIPアドレスを取得するように構成されていることを特徴とする制御装置。
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
センタサーバ（300）とエレベータ（100）、エスカレータまたは動く歩道に通信可能に接続された制御装置（120）との間におけるデータ接続の開始方法であって、該方法は、
前記制御装置（120）では、前記センタサーバ（300）からトリガ信号（410）を受信し、該トリガ信号は、前記制御装置（120）が通信可能に接続されている移動体通信ネットワークの音声呼サービスまたはメッセージングサービスを用いて伝送され、
前記トリガ信号が前記制御装置（120）にアクセス可能な比較データに対応するデータを伝送するか否かを判断することによって、前記トリガ信号が少なくとも一つの所定の要求に応じるか否かの検出（420）をして、
該検出の肯定的結果を受けて、前記制御装置（120）から前記センタサーバ（300）へのIPに基づくデータ接続確立（430）を開始することを特徴とする開始方法。
【請求項２】
請求項１に記載の方法において、前記トリガ信号に使用される前記移動体通信ネットワークのサービスは、ショートメッセージングサービスおよび音声呼設定のうちいずれかであることを特徴とする方法。
【請求項３】
前記請求項のいずれかに記載の方法において、前記検出は、前記トリガ信号から導出された前記センタサーバ（300）のネットワーク識別子を前記制御装置（120）との協働が許される少なくとも一つのセンタサーバ（300）を識別する格納情報と比較すること、または、前記トリガ信号のペイロードが所定の基準に従うことのうち少なくともいずれかであることを特徴とする方法。
【請求項４】
前記請求項のいずれかに記載の方法において、前記IPに基づくデータ接続確立の開始には、前記制御装置（120）と移動体通信ネットワーク内に属するネットワークノードとの間のパケットデータプロトコルすなわちPDPコンテキストの構築が含まれることを特徴とする方法。
【請求項５】
前記請求項のいずれかに記載の方法において、前記制御装置（120）は、前記検出の肯定的結果を受けて、前記制御装置にアクセス可能な記憶部から前記データネットワークにおける前記センタサーバ（300）のIPアドレスを取得するように構成されていることを特徴とする方法。
【請求項６】
エレベータ（100）、エスカレータまたは動く歩道の制御装置（120）であって、該制御装置（120）は、
少なくとも一つの処理部（510）と、
コンピュータプログラムコードを含む少なくとも一つの記憶部（520）とを有し、
該少なくとも一つの記憶部（520）および前記コンピュータプログラムコードは、少なくとも一つの処理部（510）を用いて、該制御装置（120）に、
該制御装置（120）と通信可能に接続されている移動体通信ネットワークの音声呼サービスまたはメッセージングサービスを用いて伝送されるトリガ信号（410）のセンタサーバ（300）からの受信と、
前記トリガ信号が該制御装置（120）にアクセス可能な比較データに対応するデータを伝送するか否かを判断することによって、前記トリガ信号が少なくとも一つの所定の要求に応じるか否かの検出（420）と、
該検出の肯定的な結果を受けて、該制御装置（120）から前記センタサーバ（300）へのIPに基づくデータ接続確立（430）の開始とを実行させることを特徴とする制御装置。
【請求項７】
請求項６に記載の制御装置（120）において、該制御装置（120）は、前記移動体通信ネットワークのサービスであるショートメッセージングサービスおよび音声呼設定サービスのうちいずれかを用いて、前記トリガ信号を受信することを特徴とする制御装置。
【請求項８】
前記請求項６または７のいずれかに記載の制御装置（120）において、該制御装置（120）によって実行される前記検出は、前記トリガ信号から導出された前記センタサーバ（300）のネットワーク識別子を該制御装置（120）との協働が許される少なくとも一つのセンタサーバ（300）を識別する格納情報と比較することと、前記トリガ信号のペイロードが所定の基準に従うことのうち少なくともいずれかであることを特徴とする制御装置。
【請求項９】
前記請求項６ないし８のいずれかに記載の制御装置（120）において、該制御装置（120）は、該制御装置（120）と移動体通信ネットワーク内に属するネットワークノードとの間のパケットデータプロトコルすなわちPDPコンテキストの構築をすることによって、データ接続確立を開始するように構成されていることを特徴とする制御装置。
【請求項１０】
前記請求項６ないし９のいずれかに記載の制御装置（120）において、該制御装置（120）はさらに、前記検出の肯定的結果を受けて、該制御装置(120)にアクセス可能な記憶部から前記データネットワーク内における前記センタサーバ（300）のIPアドレスを取得するように構成されていることを特徴とする制御装置。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
センタサーバとエレベータ、エスカレータまたは動く歩道に通信可能に接続された制御装置との間におけるデータ接続の開始方法であって、該方法は、
前記制御装置では、前記センタサーバからトリガ信号を受信し、該トリガ信号は、前記制御装置が通信可能に接続されている移動体通信ネットワークの音声呼サービスまたはメッセージングサービスを用いて伝送され、
前記トリガ信号が前記制御装置にアクセス可能な比較データに対応するデータを伝送するか否かを判断することによって、前記トリガ信号が少なくとも一つの所定の要求に応じるか否かの検出をして、
該検出の肯定的結果を受けて、前記制御装置から前記センタサーバへのIPに基づくデータ接続確立を開始することを特徴とする開始方法。
【請求項２】
請求項１に記載の方法において、前記トリガ信号に使用される前記移動体通信ネットワークのサービスは、ショートメッセージングサービスおよび音声呼設定のうちいずれかであることを特徴とする方法。
【請求項３】
請求項１または２に記載の方法において、前記検出は、前記トリガ信号から導出された前記センタサーバのネットワーク識別子を前記制御装置との協働が許される少なくとも一つのセンタサーバを識別する格納情報と比較すること、または、前記トリガ信号のペイロードが所定の基準に従うことのうち少なくともいずれかであることを特徴とする方法。
【請求項４】
請求項１ないし３のいずれかに記載の方法において、前記IPに基づくデータ接続確立の開始には、前記制御装置と移動体通信ネットワーク内に属するネットワークノードとの間のパケットデータプロトコルすなわちPDPコンテキストの構築が含まれることを特徴とする方法。
【請求項５】
請求項１ないし４のいずれかに記載の方法において、前記制御装置は、前記検出の肯定的結果を受けて、前記制御装置にアクセス可能な記憶部から前記データネットワークにおける前記センタサーバのIPアドレスを取得するように構成されていることを特徴とする方法。
【請求項６】
エレベータ、エスカレータまたは動く歩道の制御装置であって、該制御装置は、
少なくとも一つの処理部と、
コンピュータプログラムコードを含む少なくとも一つの記憶部とを有し、
該少なくとも一つの記憶部および前記コンピュータプログラムコードは、少なくとも一つの処理部を用いて、該制御装置に、
該制御装置と通信可能に接続されている移動体通信ネットワークの音声呼サービスまたはメッセージングサービスを用いて伝送されるトリガ信号のセンタサーバからの受信と、
前記トリガ信号が該制御装置にアクセス可能な比較データに対応するデータを伝送するか否かを判断することによって、前記トリガ信号が少なくとも一つの所定の要求に応じるか否かの検出と、
該検出の肯定的な結果を受けて、該制御装置から前記センタサーバへのIPに基づくデータ接続確立の開始とを実行させることを特徴とする制御装置。
【請求項７】
請求項６に記載の制御装置において、該制御装置は、前記移動体通信ネットワークのサービスであるショートメッセージングサービスおよび音声呼設定サービスのうちいずれかを用いて、前記トリガ信号を受信することを特徴とする制御装置。
【請求項８】
請求項６または７に記載の制御装置において、該制御装置によって実行される前記検出は、前記トリガ信号から導出された前記センタサーバのネットワーク識別子を該制御装置との協働が許される少なくとも一つのセンタサーバを識別する格納情報と比較することと、前記トリガ信号のペイロードが所定の基準に従うことのうち少なくともいずれかであることを特徴とする制御装置。
【請求項９】
請求項６ないし８のいずれかに記載の制御装置において、該制御装置は、該制御装置と移動体通信ネットワーク内に属するネットワークノードとの間のパケットデータプロトコルすなわちPDPコンテキストの構築をすることによって、データ接続確立を開始するように構成されていることを特徴とする制御装置。
【請求項１０】
請求項６ないし９のいずれかに記載の制御装置において、該制御装置はさらに、前記検出の肯定的結果を受けて、該制御装置にアクセス可能な記憶部から前記データネットワーク内における前記センタサーバのIPアドレスを取得するように構成されていることを特徴とする制御装置。
【手続補正２】
【補正対象書類名】明細書
【補正対象項目名】００３０
【補正方法】変更
【補正の内容】
【００３０】
次に、主に図３を参照して説明する状態において、制御装置120はトリガ信号が正規であることを確認し、その結果として、制御装置120はデータ接続の確立に応じて、例えば、送受信部に指示345をすることができる旨を決定する。IPデータ接続は、送受信部130を介して制御装置とセンタサーバ300との間で、移動体通信ネットワーク200を介して確立し、送受信部130内のサブスクリプションは、移動体通信ネットワーク200にパケットデータ接続を確立し、情報交換するためにセンタサーバ300に到達する。本発明の一例によれば、パケットデータ接続は、コアネットワークノードからパケットデータコンテキストの有効化350を要求することにより確立され得る。その要求は、SGSN（サービス提供ＧＰＲＳサポートノード）のようなネットワークノードに向けたPDPコンテキストの起動要求であってもよい。要求は、オプションパラメータ、例えば、要求されたQoS、要求されたNSAPI、MS PDP address、プロトコル設定オプション、およびAPN（アクセスポイントネーム）などを担持することができる。APNは、送受信部130内の設定で決められ、PDPコンテキスト設定要求のコンテキストでコアネットワークノードに伝送される。SGSN内のPDPコンテキスト要求350の受信に応答して、SGSNはゲートウェイGPRSサポートノード（GGSN）アドレスをAPN識別子から導出し、要求をGGSNへ転送するように構成してもよい。GGSNは、例えば、インターネットやX.25ネットワークなどの移動体通信ネットワーク（GPRSネットワーク）と外部パケット交換ネットワークとの間の相互運用に従事する。SGSNは、ダウンリンクGTP（GPRSトンネリングプロトコル）トンネルを開き、IPパケットをGGSNからSGSNへルーティングするように構成されてもよい。さらに、SGSNは、送受信部130を用いてセキュリティ機能360を実行し、少なくとも送受信部130を認証するように構成されてもよい。SGSNとGGSNとSGSNと送受信部130との間の通信チャネルの準備が成立することに応えて、SGSNはPDPコンテキストの有効化（例えばPDPコンテキスト受容メッセージの起動）についての確認を、任意のパラメータで送受信部130へ送信してもよい。一旦、PDPコンテキストが、移動体通信ネットワーク内でおよびネットワークを介してインターネットへ起動されると、制御装置120はセンタサーバ300を用いて通信380を開始することができる。通信の開始は、例えば、起動したPDPコンテキストに関する受信確認に応えて実行され、制御装置120は、装置120によってアクセス可能なデータ格納部から通信ネットワークに属するセンタサーバ300のIPアドレスなどのネットワークアドレスを検索し、所定の手順でアドレスに対する接続を開始するように構成されてもよい。データ接続確立についての上述の説明は、必須のステップを概略的に開示するものと考えられているが、必ずしも詳細のすべてを開示するわけではない。
【国際調査報告】
2019536711.tif 000009
2019536711.tif 000010
2019536711.tif 000011
2019536711.tif 000012
2019536711.tif 000013
2019536711.tif 000014
2019536711.tif 000015
2019536711.tif 000016
2019536711.tif 000017
2019536711.tif 000018
2019536711.tif 000019
2019536711.tif 000020
2019536711.tif 000021
2019536711.tif 000022
2019536711.tif 000023
2019536711.tif 000024